【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
スライドショー形式で画像を再生表示する画像再生装置であって、
逐次撮影された一連の撮影済み画像をその撮影日時に対応付けて記憶管理すると共に、予め選択指定されている指定画像を記憶管理する画像記憶手段と、
スライドショーの開始時に、現在の日時情報を取得する取得手段と、
この取得手段によって得られた現在日時を基準とした所定期間内に撮影された最近撮影の画像が存在するか否かを判別する判別手段と、
この判別手段によって最近撮影された画像が存在していることが判別された場合には、当該画像を再生対象として特定し、最近撮影された画像が存在していない場合には、前記指定画像を再生対象として特定する特定手段と、
この特定手段によって再生対象として特定された画像をスライドショー形式で再生表示する表示手段と、
を具備したことを特徴とする画像再生装置。
【請求項２】
前記所定期間は、現在の日時から遡った期間であり、現在日時を基準として時間単位、日単位、週単位、月単位の何れかを単位とする期間である、ことを特徴とする請求項１記載の画像再生装置。
【請求項３】
前記所定期間は、現在日であり、前記判別手段は、現在日に撮影された画像が存在しない場合には、現在週あるいは現在月を前記所定期間として、最近撮影された画像が存在するか否かを判別する、ようにしたことを特徴とする請求項２記載の画像再生装置。
【請求項４】
前記特定手段は、最近撮影された画像を再生対象として特定した後に、前記指定画像を再生対象として特定し、
前記表示手段は、最近撮影された画像を再生表示した後に、前記指定画像を再生表示する、ようにしたことを特徴とする請求項1記載の画像再生装置。
【請求項５】
前記表示手段は、最近撮影された画像の再生表示を予め決められている所定回数分繰り返して実行した後に、前記指定画像を再生表示する、ようにしたことを特徴とする請求項３記載の画像再生装置。
【請求項６】
コンピュータに対して、
逐次撮影された一連の撮影済み画像をその撮影日時に対応付けて記憶管理すると共に、予め選択指定されている指定画像を記憶管理する機能と、
スライドショーの開始時に、現在の日時情報を取得する機能と、
現在日時を基準とした所定期間内に撮影された最近撮影の画像が存在するか否かを判別する機能と、
最近撮影された画像が存在していることが判別された場合には、当該画像を再生対象として特定し、最近撮影された画像が存在していない場合には、前記指定画像を再生対象として特定する機能と、
再生対象として特定された画像をスライドショー形式で再生表示する機能と、
を実現させるためのプログラム。
【請求項７】
スライドショー形式で画像を再生表示する画像再生装置であって、
逐次撮影された一連の撮影済み画像を記憶管理すると共に、予め選択指定されている指定画像を記憶管理する画像記憶手段と、
スライドショーの開始時に、撮影済み画像の中に未再生の画像が存在するか否かを判別する判別手段と、
この判別手段によって未再生画像で存在していることが判別された場合に、当該未再生画像を再生対象として特定し、未再生画像が存在していないことが判別された場合に、前記指定画像を再生対象として特定する特定手段と、
この特定手段によって再生対象として特定された画像をスライドショー形式で再生表示する表示手段と、
を具備したことを特徴とする画像再生装置。
【請求項８】
前記特定手段は、前記未再生画像を再生対象として特定した後に、前記指定画像を再生対象として特定し、
前記表示手段は、前記未再生画像を再生表示した後に、前記指定画像を再生表示する、ようにしたことを特徴とする請求項７記載の画像再生装置。
【請求項９】
コンピュータに対して、
逐次撮影された一連の撮影済み画像を記憶管理すると共に、予め選択指定されている指定画像を記憶管理する機能と、
スライドショーの開始時に、撮影済み画像の中に未再生の画像が存在するか否かを判別する機能と、
未再生画像で存在していることが判別された場合に、当該未再生画像を再生対象として特定し、未再生画像が存在していないことが判別された場合に、前記指定画像を再生対象として特定する機能と、
再生対象として特定された画像をスライドショー形式で再生表示する機能と、
を実現させるためのプログラム。
【請求項１０】
スライドショー形式で画像を再生表示する画像再生装置であって、
逐次撮影された撮影済み画像を記憶管理する画像記憶手段と、
この画像記憶手段内の画像を外部装置に送信する送信手段と、
スライドショーの開始時に、外部装置に対して未送信の画像が存在しているか否かを判別する判別手段と、
この判別手段によって未送信画像が存在していることが判別された場合に、当該未送信画像を再生対象として特定する特定手段と、
この特定手段によって再生対象として特定された画像をスライドショー形式で再生表示する表示手段と、
を具備したことを特徴とする画像再生装置。
【請求項１１】
前記画像記憶手段は、逐次撮影された一連の撮影済み画像を記憶管理すると共に、予め選択指定されている指定画像を記憶管理し、
前記判別手段によって未送信画像で存在していることが判別された場合に、当該未送信画像を再生対象として特定し、未送信画像で存在していないことが判別された場合に、前記指定画像を再生対象として特定する、ようにしたことを特徴とする請求項１０記載の画像再生装置。
【請求項１２】
前記特定手段は、前記未送信画像を再生対象として特定した後に、前記指定画像を再生対象として特定し、
前記表示手段は、前記未転送画像を再生表示した後に、前記指定画像を再生表示する、ようにしたことを特徴とする請求項１０記載の画像再生装置。
【請求項１３】
コンピュータに対して、
逐次撮影された撮影済み画像を記憶管理する機能と、
撮影済み画像を外部装置に送信する機能と、
スライドショーの開始時に、外部装置に対して未送信の画像が存在しているか否かを判別する機能と、
未送信画像が存在していることが判別された場合に、当該未送信画像を再生対象として特定する機能と、
再生対象として特定された画像をスライドショー形式で再生表示する機能と、
を実現させるためのプログラム。
【請求項１４】
画像再生装置本体は、画面付きデジタルカメラであり、このカメラ内の二次電池を充電する充電スタンドに当該カメラが接続された際に、前記表示手段は、カメラ画面にスライドショー形式で画像を再生表示する、ようにしたことを特徴とする請求項１、７、１０、のうち、その何れか記載の画像再生装置。
【手続補正２】
【補正対象書類名】明細書
【補正対象項目名】０００４
【補正方法】変更
【補正の内容】
【０００４】
第１の発明の課題は、スライドショーの開始時に、一連の撮影済み画像の中から自動選択された最近撮影の画像を再生表示するか、予め選択指定されている指定画像を再生表示するかを特定してスライドショーを開始できるようにすることである。
第２の発明の課題は、スライドショーの開始時に、一連の撮影済み画像の中から自動選択された未再生画像を再生表示するか、予め選択指定されている指定画像を再生表示するかを特定してスライドショーを開始できるようにすることである。
第３の発明の課題は、スライドショーの開始時に、一連の撮影済み画像の中から自動選択された未送信の画像を再生表示として優先的に特定してスライドショーを開始できるようにすることである。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００４７
【補正方法】変更
【補正の内容】
【００４７】
また、カメラ本体をクレードル２にセットした状態において、カメラ画面１１にスライドショー形式で画像を再生表示するようにしたから、電池の消耗を気にせず、充電スタンドをフォトスタンドのように利用しながらスライドショーを見ることができる。また、スライドショーの開始時に、最初に特定された画像が最近撮影された画像であれば、この最近撮影の画像を再生した後に、お気に入り画像を再生するようにしたから、最近撮影された画像を確認した後に、お気に入り画像を確認することができる。さらに、最近撮影された画像を所定回数分繰り返して再生した後に、お気に入り画像を再生するようにしたから、最近撮影された画像をより確実に確認することができる。